(57)【特許請求の範囲】
【請求項１】
化合物半導体ウェハをメサエッチングすることで２組の平行な２辺を有する上面を備え、素子分離されたメサ部を有する化合物半導体素子であって、
そのメサ部は、一方の平行なメサ上面２辺に平行なＸ方向から見たときに認められる２つのメサ側面のうち、一方がウェハ面に対して鈍角をなすメサ部側面である順メサ面と、他方がウェハ面に対して鋭角をなすメサ部側面である逆メサ面とから少なくとも形成されており、
メサ部は、さらに、他方の平行なメサ上面２辺に平行なＹ方向から見たときに認められる２つのメサ側面のうち、一方がウェハ面に対して鈍角をなすメサ部側面である順メサ面と、他方がウェハ面に対して鋭角をなすメサ部側面である逆メサ面とから形成されていることを特徴とする化合物半導体素子。
【請求項２】
請求項１に記載の化合物半導体素子を得る化合物半導体素子の製造方法であって、
ウェハが、(100)面にほぼ平行なウェハ面を有し、
メサ部が、前記Ｘ方向及び前記Ｙ方向のうち少なくとも１つの方向を、[010]方向及び[001]方向に対しほぼ平行にしてメサエッチングによりパターンニングされることを特徴とする化合物半導体素子の製造方法。
【請求項３】
メサエッチングが、１０μｍ／ｍｉｎ以下のエッチングレートで行われるウェットエッチングであることを特徴とする請求項２に記載の化合物半導体素子の製造方法。
【請求項４】
ウェハが、AlGaAsやAlInPの層を有し、ウェットエッチングのエッチャントが、リン酸系エッチャントあるいは硫酸系エッチャントであることを特徴とする請求項３に記載の化合物半導体素子の製造方法。
【請求項５】
半導体ウェハが、Zinc Blend構造を持ち、ウェハ面方位を(100)面から５〜２５°変位させるとともに、その変位方向を[010]方向及び[001]方向のいずれからも３０°以上ずらしてなることを特徴とする請求項２に記載の化合物半導体素子の製造方法。
【請求項６】
さらに化合物半導体素子をダイシングにより分離する工程を含み、
ダイシングが、クーラント供給下、ダイシングブレードを用いて行われ、
クーラントが、前記Ｘ方向及び前記Ｙ方向の両方とも順メサ面側のみから、あるいは逆メサ面側のみからメサ部側面に当たるように加速されることを特徴とする請求項２に記載の化合物半導体素子の製造方法。
【請求項７】
ダイシングが、１つの粘着シートにウェハを貼り付けた状態で行われ、
このダイシングの後に、１つの粘着シートに貼り付けられた半導体素子を別の粘着シートに反転させる工程を含み、
この反転に際して、メサ部における２つの逆メサ面どうしが交差する稜部分のみから、あるいは２つの順メサ面どうしが交差する稜部分のみからその半導体素子を剥がして別の粘着シートに反転させることを特徴とする請求項２に記載の化合物半導体素子の製造方法。
【発明の詳細な説明】
【０００１】
【発明の属する技術分野】
本発明は、化合物半導体素子及びその製造方法に関するものであり、さらに詳しくは、化合物半導体ウェハをエッチングすることでメサ部が形成されてなる化合物半導体素子及びこのような化合物半導体素子の製造方法に関するものである。
【０００２】
【従来の技術】
従来、このような化合物半導体素子に基づいて製造される、カメラの日付焼付用データバックなどに用いられる発光ダイオードアレイとしては、例えば特許文献１〜４に記載されたものが知られている。
【０００３】
【特許文献１】
特開昭６２−１６５８３号公報（第２〜４頁、第１〜４図）
【特許文献２】
特開平１０−３３５６９６号公報（第２〜５頁、図１および図２）
【特許文献３】
特開平３−１９０２８７号公報（第２〜３頁、第１〜４図）
【特許文献４】
特開平８−６４８６４号公報（第２〜８頁、図１〜図１９）
【０００４】
従来の技術において、例えばZinc Blend構造を持つ半導体ウェハを液相または気相エピタキシャル成長によって得る場合、そのエピタキシャル成長の基板は一般に、(100)面近傍の面方位を有するものが用いられる。
【０００５】
Zinc Blend構造を持つ半導体ウェハでは、dangling bondの過不足に起因して、(111)Ａ面と(111)Ｂ面とのエッチングレートは大きく異なる。このため、エッチングによってメサ形状を得る場合、エッチングレートが小さくなると異方性エッチングが起こり、結果として、順メサ面と逆メサ面とが現れる。すなわち、順メサ面（化合物半導体ウェハをメサエッチングした後に２組の平行な２辺で素子分離して得られる、メサ部を有する化合物半導体素子において、１組の２辺に平行な方向から見てウェハ面に対して鈍角をなすメサ部側面）と、逆メサ面（ウェハ面に対して鋭角をなすメサ部側面）とが現れる。
【０００６】
【発明が解決しようとする課題】
しかしながら、このようなメサ部が表面に形成されたウェハをダイシングによって複数の素子に切断・分離すると、ダイシングブレードを冷却するクーラントによって各素子がダメージを受けることがあった。すなわち、高速で回転するダイシングブレードによってクーラントが高速でウェハ表面に衝突するため、衝突するウェハ表面の形状やクーラントの衝突する向きによっては、ウェハ表面のメサ部にダメージを与えるおそれがあった。
【０００７】
例えば、メサ部の上に電極のような薄い膜が形成されていると、ブレード冷却用クーラントによる衝突圧力のためにその薄い膜が剥がれることがあった。具体的に説明すると、図１のようにウェハ（ｗ）表面のメサ部の上に薄い膜（ｆ）がある場合に、ダイシングブレード（ｂｌ）が時計回りに回転する（ｃｗ）ときはβ部で、反時計回りに回転する（ｃｃｗ）ときはα部で、それぞれ膜（ｆ）の剥がれが発生しやすい、という問題があった。
【０００８】
メサ部の上に膜がない場合でも、やはりクーラントによる衝突圧力のために結晶そのものがダメージを受けることがあった。具体的に説明すると、図２のようにウェハ（ｗ）表面のメサ部の上に膜がない場合でも、ブレード（ｂｌ）が時計回りに回転する（ｃｗ）ときはδ部で、反時計回りに回転する（ｃｃｗ）ときはγ部で、それぞれダメージを受けやすい、という問題があった。
【０００９】
以上のように、メサ部の上に膜がある場合もない場合も、クーラントの量を減らしたり、ブレードの回転速度を遅くしたりすることで、ある程度の事態の改善を図ることができるものの、これらの対策は本質的な解決法とはならず、また、これらの対策によれば、ダイシング装置の処理能力が低くなるだけでなくブレードの回転速度が下がるため、チッピングなどの切断上の新たな不具合が発生するおそれがあった。
【００１０】
また、メサ部の上に膜がありその膜がメサ部に充分強固に接合している場合でも、膜の折れ曲がりなどの変形が発生するおそれがあった。さらに、ダイシングによる素子分離後のプロセスである、ダイシング時にウェハを固定していた１つの粘着シートから別の粘着シートへの素子反転プロセスにおいても、鋭角部への応力集中が起きる場所で、メサ部の上部における膜剥がれやメサ部の下部における結晶ダメージが発生することがあった。
【００１１】
本発明は、このような実情に鑑みてなされたものであり、その目的は、メサ部が表面に形成されたウェハをダイシングによって複数の素子に切断・分離する時にクーラントによって各素子がダメージを受けるおそれを防止することができ、さらに、ダイシングによる素子分離後の粘着シート反転プロセスにおいても各素子がダメージを受けるおそれを防止することができる化合物半導体素子とその製造方法とを提供することにある。
【００１２】
【課題を解決するための手段】
本発明の１つの観点によれば、化合物半導体ウェハをメサエッチングすることで２組の平行な２辺を有する上面を備え、素子分離されたメサ部を有する化合物半導体素子であって、そのメサ部は、一方の平行なメサ上面２辺に平行なＸ方向から見たときに認められる２つのメサ側面のうち、一方がウェハ面に対して鈍角をなすメサ部側面である順メサ面と、他方がウェハ面に対して鋭角をなすメサ部側面である逆メサ面とから少なくとも形成されており、メサ部は、さらに、他方の平行なメサ上面２辺に平行なＹ方向から見たときに認められる２つのメサ側面のうち、一方がウェハ面に対して鈍角をなすメサ部側面である順メサ面と、他方がウェハ面に対して鋭角をなすメサ部側面である逆メサ面とから形成されていることを特徴とする化合物半導体素子が提供される。
【００１３】
このように構成された化合物半導体素子は、ダイシングプロセスにおいて次のように作用する。
【００１４】
メサ部の上に膜がある場合に、逆メサ面の上方における膜のオーバーハングは、その量が少なく、かつ、逆メサ面との間で作る角も鈍角になるため、逆メサ面においてダイシング時のクーラントが膜を剥がそうとする力は、順メサ面のそれよりも小さくなる。
【００１５】
メサ部の上に膜がない場合に、順メサ面ではウェハ面に対して鈍角をなしているため、順メサ面においてダイシング時のクーラントがメサ部をウェハから分離させようとする力は、逆メサ面のそれよりも小さくなる。
【００１６】
このように構成された化合物半導体素子は、粘着シート反転プロセスにおいて次のように作用する。
【００１７】
メサ部の上に膜がある場合には、そのメサ部における２つの逆メサ面どうしが交差する稜部分から（図５のｃ方向へ）その素子を剥がすようにすると、その剥がす方向が、２つの逆メサ面どうしが交差する稜部分の延びる方向に一致することになるので、従来の逆メサ面から剥がしても順メサ面部でダメージを受ける（図７のｄ位置）ことがない。
【００１８】
メサ部の上に膜がない場合には、２つの順メサ面どうしが交差する稜部分のみからその素子を剥がすようにすると、その剥がす方向が、２つの順メサ面どうしが交差する稜部分の延びる方向に一致することになるので、従来の順メサ面から剥がしても逆メサ面部でダメージを受けることがない。
【００１９】
要するに、本発明によれば、２つのダイシング方向のいずれにも順メサ面と逆メサ面とを有するメサ形状とし（図３及び図４）、ダイシング時にダメージを受けない方向（図３のａ、図４のｂ）からだけクーラントがメサ部側面に当たるようにし、また、粘着シート反転時にもダメージを受けにくい方向（図５のｃ）で作業を行うことができるようにしたのである。
【００２０】
本発明の別の観点によれば、本発明に係る前記化合物半導体素子を得る化合物半導体素子の製造方法であって、ウェハが、(100)面にほぼ平行なウェハ面を有し、メサ部が、前記Ｘ方向及び前記Ｙ方向のうち少なくとも１つの方向を[010]方向及び[001]方向に対しほぼ平行にしてメサエッチングによりパターンニングされることを特徴とする化合物半導体素子の製造方法が提供される。
【００２１】
２つのダイシング方向のいずれにも順メサ面と逆メサ面とを有するメサ部とするために、(100)面にほぼ平行であるウェハでは、通常、矩形チップの辺が図６の場合、ほぼ[110]方向及びほぼ[1-10]方向となるようにパターンニングするところを（図６のＩ）、本発明においては、ほぼ[100]方向及びほぼ[010]方向となるようにパターンニングした（図６のＩＩ）。
【００２２】
前記Ｘ方向及び前記Ｙ方向のうち少なくとも１つの方向が[100]方向に対しほぼ平行になるように素子分離方向を設定するに際しては、１０μｍ／ｍｉｎ以下のエッチングレートでウェットエッチングするのが好ましい。このような範囲のエッチングレートでウェットエッチングすれば、所望の順メサ面と逆メサ面とを得ることができたからである。
【００２３】
また、前記エッチングレートを得るためのエッチャントとしては、ウェハとしてAlGaAsやAlInPの層を有するものを用いたときに、所望の順メサ面と逆メサ面とを得るために、リン酸系エッチャントあるいは硫酸系エッチャントを用いるのが好ましい。リン酸系エッチャントとしては例えば、７０±２０°Ｃの熱リン酸が好ましく用いられ、硫酸系エッチャントとしては例えば、硫酸と過酸化水素水と水との混合液であって、硫酸の体積が過酸化水素水と水との合計体積の１〜４倍であるものが好ましく用いられる。
【００２４】
本発明における前記のようなパターンニングによって、所望の順メサ面と逆メサ面とを得るために、Zinc Blend構造を持つ半導体ウェハにおいて、ウェハ面方位を(100)面から５〜２５°変位させるとともに、その変位方向を[010]方向及び [001]方向のいずれからも３０°以上ずらすのが好ましい。
【００２５】
すなわち、Zink Blend構造のJust(001)面の場合、ダイシングラインを[100]方向と[010]方向とに設定しただけでは、順メサ面と逆メサ面とが所望の位置に現れない。素子のメサ部における４つの側面が順メサ面になるか逆メサ面になるかについて説明すると、図６のＡ１は(111)順メサ面と(1-11) 逆メサ面とが、Ａ２は(-1-11)順メサ面と(-111) 逆メサ面とが、Ｂ１は(-1-11)順メサ面と(1-11) 逆メサ面とが、Ｂ２は(111)順メサ面と(-111) 逆メサ面とが、それぞれ出現し得る。つまり、順メサ面どうしあるいは逆メサ面どうしが交わる側面を安定して得ることはできない。
【００２６】
本発明によれば、Zinc Blend構造を持つ半導体ウェハにおいて前記のようにウェハ面方位を所定角度変位させるとともに、その変位方向を所定角度ずらすことで、所望の順メサ面と逆メサ面とを得ることができる。
【００２７】
本発明によれば、さらに化合物半導体素子をダイシングにより分離する工程を含み、ダイシングが、クーラント供給下、ダイシングブレードを用いて行われ、クーラントが、前記Ｘ方向及び前記Ｙ方向の両方とも順メサ面側のみから、あるいは逆メサ面側のみからメサ部側面に当たるように加速されると、クーラントがダメージを受けない方向からメサ部側面に当たるので好ましい。
【００２８】
本発明は、また、ダイシングが、１つの粘着シートにウェハを貼り付けた状態で行われ、このダイシングの後に、１つの粘着シートに貼り付けられた半導体素子を別の粘着シートに反転させる工程を含み、この反転に際して、そのメサ部における２つの逆メサ面どうしが交差する稜部分のみから、あるいは２つの順メサ面どうしが交差する稜部分のみからその半導体素子を剥がして別の粘着シートに反転させると、粘着シート反転時にもダメージを受けにくい方向で作業を行うことができ、それによって素子に与えるダメージを回避することができるので好ましい。
【００２９】
【発明の実施の形態】
以下、本発明に係る１つの実施の形態を図面に基づいて説明する。なお、これによって本発明が限定されるものではない。
本発明に係る１つの実施の形態として、Zinc Blend構造を例に採り、メサ部の上に金属薄膜（電極）がある場合について説明する。
【００３０】
図８はウェハの断面図である。このウェハの両面に、Ｐ電極とＮ電極とをそれぞれ形成する。ただし、Ｎ電極は、電極の材料や熱処理の内容によってはＰ型層の選択エッチングの後に形成してもよい。
【００３１】
Ｐ電極の形成後にウェハのＰ型層をウェットエッチングにより部分的に除去し、１つの素子内に複数のＰ型部を形成することで、図９のような、１素子内に複数の発光セグメントを有するモノリシック発光ダイオードを作製することができる。
【００３２】
ウェハの面方位は、(001)面を、[110]を回転軸として２５°回転した面を用いる。
【００３３】
ミラー指数は一般に、方位の場合は３次元空間における方向ベクトル、面の場合は３次元空間における法線ベクトルであるから、それらのなす角は次式で得られる。
【００３４】
ベクトルａとベクトルｂのなす角をθとすると、
ｃｏｓθ＝（ａ，ｂ）／|ａ|・|ｂ|
【００３５】
Ａ１，Ａ２，Ｂ１，Ｂ２において、最も現われやすい順メサ面と逆メサ面とがそれぞれの４側面となす角度がより小さい面、すなわち、側面に対してより平行に近い方の面が優先的に出現することから、Ａ１：順メサ面、Ａ２：逆メサ面、Ｂ１：逆メサ面、Ｂ２：順メサ面となり、Ａ１とＢ２の角で順メサ面どうしが、Ａ２とＢ１の角で逆メサ面どうしが、それぞれ交わる。
【００３６】
このようにウェハの面方位を選びパターンニングしたものを、フォトエッチプロセスによりエッチングしない領域をフォトレジストで保護した後、p-AlGaAs層については硫酸系エッチャントとしての、硫酸：過酸化水素水：水＝８：１：１の混合液で、p-AlInPの層についてはリン酸系エッチャントとしての、７０±２０°Ｃの熱リン酸で、それぞれエッチングする。
【００３７】
この結果、図９に示すような構造を有する素子が作製される。
【００３８】
これをダイシングマシーンによって複数の素子に分離する際、図３及び図４のように、ダイシングブレードで加速されたクーラントが電極とウェハとのなす鋭角部分に当たらないように、Ｘ，Ｙの両方向でそれぞれダイシングを行う。これにより、電極へのダメージを抑制した素子分離が可能になる。
【００３９】
さらに、ダイシングプロセスの後に、ダイシングプロセスで用いた粘着シートからチップ出荷用の粘着シートへ移し替える際も、図５のように、２つの順メサ面どうしが交差する稜部分のみからその素子を剥がすようにすることで、粘着シートによる電極へのダメージを抑えることが可能になる。
【００４０】
【発明の効果】
本発明の化合物半導体素子によれば、２つのダイシング方向のいずれにも順メサ面と逆メサ面とを有するメサ形状としているので、ダイシング時にダメージを受けない方向からだけクーラントがメサ部側面に当たるようにすることができるようにし、また、粘着シート反転時にもダメージを受けにくい方向で作業を行うことができるようにすることができ、それによって、メサ部が表面に形成されたウェハをダイシングによって複数の素子に切断・分離する時にクーラントによって各素子がダメージを受けるおそれを防止することができ、さらに、ダイシングによる素子分離後の粘着シート反転プロセスにおいても各素子がダメージを受けるおそれを防止することができる。
【００４１】
本発明の化合物半導体素子の製造方法によれば、ウェハ面が(100)面にほぼ平行であるウェハを用いて、前記Ｘ方向及び前記Ｙ方向のうち少なくとも1つの方向を[010]方向及び [001]方向に対しほぼ平行にしてパターンニングすることで、メサ部の上に形成された膜へのダメージを低減することができ、効率のよいダイシングが可能になるとともに、良質な切断面を有するチップの作製が可能になる。
【００４２】
そして、従来はダイシングによる分離が不可能であった、メサ部の上にオーバーハングする薄膜を有するチップを切断分離することができるようになる。
【００４３】
また、従来において、ダイシング条件によっては切断可能であった場合についても素子へのダメージを低減するために切れ味を犠牲にすることがあったが、本発明の化合物半導体素子の製造方法によれば、このような必要がなくなるので切断面の品位を向上させることが可能になる。また、これによって、従来はチッピング対策として素子間に必要であった切り代マージンを大幅に縮小することができるようになり、素子の小型化や取得量の増大も可能になり、製造コストを低減することもできる。
【００４４】
ダイシング後の取り扱いについても、シートによる一括反転をすることができるようになり、大幅な工数低減が可能になる。
【００４５】
さらに、オーバーハング量と密接な関係にあるメサ部の高さの制約を大幅に低減することができることで、素子構造（ウェハ層構造）を設計する時の制約を低減することができる。
【図面の簡単な説明】
【図１】図１は、従来の半導体ウェハをダイシングによって複数の素子に切断・分離する際に、メサ部の上に膜があるときの状態を示す説明図である。
【図２】図２は、従来の半導体ウェハをダイシングによって複数の素子に切断・分離する際に、メサ部の上に膜がないときの状態を示す説明図である。
【図３】図３は、本発明に係る半導体ウェハをダイシングによって複数の素子に切断・分離する際に、メサ部の上に膜があるときの状態を示す説明図である。
【図４】図４は、本発明に係る半導体ウェハをダイシングによって複数の素子に切断・分離する際に、メサ部の上に膜があるときの状態を示す説明図である。
【図５】図５は、本発明の化合物半導体素子を粘着シートから剥がして別の粘着シートへ反転するときの状態を示す説明図である。
【図６】図６は、従来及び本発明における、矩形チップの辺が特定の方向を向くようにパターンニングする方法を示す説明図である。
【図７】図７は、従来の素子を逆メサ面から剥がしたときに順メサ面部でダメージを受ける状態を示す説明図である。
【図８】図８は、本発明に係る半導体ウェハの断面図である。
【図９】図９は、本発明の化合物半導体素子の断面図である。
【符号の説明】
ｂｌ    ダイシングブレード
ｆ      膜
ｗ      ウェハ
【図１】
0004046586.tif 000002
【図２】
0004046586.tif 000003
【図３】
0004046586.tif 000004
【図４】
0004046586.tif 000005
【図５】
0004046586.tif 000006
【図６】
0004046586.tif 000007
【図７】
0004046586.tif 000008
【図８】
0004046586.tif 000009
【図９】
0004046586.tif 000010